【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
識別情報を備えた複数の表示装置に画像信号を送出する画像信号発生装置において、
前記複数の表示装置の一つに表示される画像を１ページの画像としたときに、１ページの画像を表示させる画像信号を１フレームずつ順に出力する画像信号発生部と、
インデックス信号を前記各フレームの画像信号に付加するインデックス付加部と、
前記表示装置にポインタを表示させる信号を前記各フレームの画像信号に付加するか否かを制御するポインタ制御部と、
前記各フレームの画像信号を前記複数の表示装置に送出して、前記各フレームの画像信号に付加されたインデックス信号に対応する識別情報を備えた表示装置に画像を表示させる画像信号出力部と、
インデックス信号の変更により前記ページを変更する時点より少なくとも１フレーム前の時点から少なくとも１フレームの期間、前記ポインタを表示させる信号を前記画像信号に付加しないように前記ポインタ制御部を制御する中央制御部と
を有することを特徴とする画像信号発生装置。
【請求項２】
識別情報を備えた複数の表示装置に画像信号を送出する画像信号発生装置において、
前記複数の表示装置の一つに表示される画像を１ページの画像としたときに、１ページの画像を表示させる画像信号を１フレームずつ順に出力する画像信号発生部と、
インデックス信号を前記各フレームの画像信号に付加するインデックス付加部と、
前記表示装置にポインタを表示させる信号を前記各フレームの画像信号に付加するか否かを制御するポインタ制御部と、
前記各フレームの画像信号を前記複数の表示装置に送出して、前記各フレームの画像信号に付加されたインデックス信号に対応する識別情報を備えた表示装置に画像を表示させる画像信号出力部と、
インデックス信号の変更により前記ページを変更する時点より少なくとも１フレーム前の時点から少なくとも１フレームの期間、前記インデックス信号を前記複数の表示装置の識別情報のいずれにも対応しない無効インデックス信号に変更するように前記インデックス付加部を制御すると共に、前記インデックス信号が無効インデックス信号である期間より少なくとも１フレーム前の時点から少なくとも１フレームの期間、前記ポインタを表示させる信号を前記画像信号に付加しないように前記ポインタ制御部を制御する中央制御部と
を有することを特徴とする画像信号発生装置。
【請求項３】
前記インデックス信号の付加が、前記画像信号の一部をインデックス信号に置き換えることによって実行されることを特徴とする請求項１又は２のいずれかに記載の画像信号発生装置。
【請求項４】
識別情報を備えた複数の表示装置により受信される画像信号を発生する画像信号発生方法であって、
前記複数の表示装置の一つに表示される画像を１ページの画像としたときに、１ページの画像を表示させる画像信号を１フレームずつ生成し、
インデックス信号を前記各フレームの画像信号に付加し、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させ、
インデックス信号の変更により前記ページを変更する時点より少なくとも１フレーム前の時点から少なくとも１フレームの期間、前記ポインタを表示させる信号を前記画像信号に付加しない
ことを特徴とする画像信号発生方法。
【請求項５】
識別情報を備えた複数の表示装置により受信される画像信号を発生する画像信号発生方法であって、
前記複数の表示装置の一つに表示される画像を１ページの画像としたときに、１ページの画像を表示させる画像信号を１フレームずつ生成し、
インデックス信号を前記各フレームの画像信号に付加し、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させ、
インデックス信号の変更により前記ページを変更する時点より少なくとも１フレーム前の時点から少なくとも１フレームの期間、前記インデックス信号を前記複数の表示装置の識別情報のいずれにも対応しない無効インデックス信号に変更すると共に、前記インデックス信号が無効インデックス信号である期間より少なくとも１フレーム前の時点から少なくとも１フレームの期間、前記ポインタを表示させる信号を前記画像信号に付加しない
ことを特徴とする画像信号発生方法。
【請求項６】
前記インデックス信号の付加が、前記画像信号の一部をインデックス信号に置き換えることによって実行されることを特徴とする請求項４又は５のいずれかに記載の画像信号発生方法。
【請求項７】
複数の表示装置の一つに表示される画像を１ページの画像としたときに、１ページの画像を表示させる画像信号を１フレームずつ順に出力する画像信号発生部を有し、識別情報を備えた複数の表示装置に前記画像信号を送出するコンピュータシステムに画像信号処理を実行させるためのプログラムを記録したコンピュータ読み取り可能な記録媒体であって、
前記画像信号処理が、
前記画像信号発生部から出力される各フレームの画像信号にインデックス信号を付加する処理と、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させる処理と、
インデックス信号の変更により前記ページを変更する時点より少なくとも１フレーム前の時点から少なくとも１フレームの期間、前記ポインタを表示させる信号を前記画像信号に付加しない処理と
を含むことを特徴とする記録媒体。
【請求項８】
複数の表示装置の一つに表示される画像を１ページの画像としたときに、１ページの画像を表示させる画像信号を１フレームずつ順に出力する画像信号発生部を有し、識別情報を備えた複数の表示装置に前記画像信号を送出するコンピュータシステムに画像信号処理を実行させるためのプログラムを記録したコンピュータ読み取り可能な記録媒体であって、
前記画像信号処理が、
前記画像信号発生部から出力された各フレームの画像信号にインデックス信号を付加する処理と、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させる処理と、
インデックス信号の変更により前記ページを変更する時点より少なくとも１フレーム前の時点から少なくとも１フレームの期間、前記インデックス信号を前記複数の表示装置の識別情報のいずれにも対応しない無効インデックス信号に変更すると共に、前記インデックス信号が無効インデックス信号である期間より少なくとも１フレーム前の時点から少なくとも１フレームの期間、前記ポインタを表示させる信号を前記画像信号に付加しない処理と
を含むことを特徴とする記録媒体。
【請求項９】
複数の表示装置の一つに表示される画像を１ページの画像としたときに、１ページの画像を表示させる画像信号を１フレームずつ順に出力する画像信号発生部を有し、識別情報を備えた複数の表示装置に前記画像信号を送出するコンピュータシステムに画像信号処理を実行させるためのプログラムであって、
前記画像信号処理が、
前記画像信号発生部から出力された各フレームの画像信号にインデックス信号を付加する処理と、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させる処理と、
インデックス信号の変更により前記ページを変更する時点より少なくとも１フレーム前の時点から少なくとも１フレームの期間、前記ポインタを表示させる信号を前記画像信号に付加しない処理と
を含むことを特徴とするプログラム。
【請求項１０】
複数の表示装置の一つに表示される画像を１ページの画像としたときに、１ページの画像を表示させる画像信号を１フレームずつ順に出力する画像信号発生部を有し、識別情報を備えた複数の表示装置に前記画像信号を送出するコンピュータシステムに画像信号処理を実行させるためのプログラムであって、
前記画像信号処理が、
前記画像信号発生部から出力された各フレームの画像信号にインデックス信号を付加する処理と、
前記各フレームの画像信号を前記複数の表示装置に送出して、前記各フレームの画像信号に付加されたインデックス信号に対応する識別情報を備えた表示装置に時間的に順に並ぶ複数フレームから構成されるページの画像を表示させる処理と、
インデックス信号の変更により前記ページを変更する時点より少なくとも１フレーム前の時点から少なくとも１フレームの期間、前記インデックス信号を前記複数の表示装置の識別情報のいずれにも対応しない無効インデックス信号に変更すると共に、前記インデックス信号が無効インデックス信号である期間より少なくとも１フレーム前の時点から少なくとも１フレームの期間、前記ポインタを表示させる信号を前記画像信号に付加しない処理と
を含むことを特徴とするプログラム。
【請求項１１】
識別情報を備えた複数の表示装置に送出される画像信号を生成する画像信号発生方法であって、
前記複数の表示装置の一つに表示される画像を１ページとしたときに、各々のページの画像信号内に、前記表示装置が備える前記識別情報に対応するインデックス信号を付加することによって、前記複数の表示装置において選択的な画像の表示を可能とするステップを有し、
インデックス信号の変更により前記ページを変更する時点より少なくとも１フレーム前の時点から少なくとも１フレームの期間、前記ポインタを表示させる信号を前記画像信号に付加しない
ことを特徴とする画像信号発生方法。